(57)【要約】      （修正有）【課題】耳かき部の全方向どの方向を使っても耳かきができ、かつ常時、見近に保管し携帯することができる耳かき具を提供する。【解決手段】複数の円筒体を分離可能に連結してなる本体１２と、本体１２に、その軸心に沿って往復動可能に収容された心棒１６と、心棒１６の一端に、円形板の中心部を連結して設けられた耳かき部１８と、心棒１６の他端に連結して設けられ、心棒１６の外径より大きい外径の大径部を有するストッパー部と、本体１２内に収容されて心棒１６の動きを抑制する弾性リングとを備えている。不使用時は、耳かき部１８が本体１２内に位置すると共に、ストッパー部の先端部２５ａが本体１２端面より外方に突出した状態とされている。使用時は、外方に突出していたストッパー部の先端部２５ａが本体１２内に圧入されることにより耳かき部１８が本体１２内から外方に突出する。【選択図】図１
0003177724.tif 000002
【実用新案登録請求の範囲】
【請求項１】
複数の円筒体を分離可能に連結してなる本体と、
前記本体に、その軸心に沿って往復動可能に収容された心棒と、
前記心棒の一端に、円形板の中心部を連結して設けられた耳かき部と、
前記心棒の他端に連結して設けられ、前記心棒の外径より大きい外径の大径部を有するストッパー部と、
前記本体内に収容されて前記心棒の動きを抑制する弾性リングとを備え、
不使用時は、前記耳かき部が前記本体内に位置すると共に、前記ストッパー部の先端部が前記本体端面より外方に突出した状態とされており、
使用時は、外方に突出していた前記ストッパー部の先端部が前記本体内に圧入されることにより前記耳かき部が前記本体内から外方に突出するようにされたことを特徴とする耳かき具。
【請求項２】
請求項１に記載の耳かき具において、
前記複数の各円筒体にはそれぞれ連結する端部に互いに螺合するねじ部を設け、
前記本体を構成する一端側の円筒体の端面に、前記耳かき部を収容する座ぐりを設け、前記座ぐりの中心部に、前記心棒を摺動自在に通すが、前記耳かき部及び前記ストッパー部を通さない内径の透孔を設け、
前記一端側の円筒体の内周に、前記ストッパー部の大径部の外径より小さい内径の前記弾性リングを装着し、
前記本体を構成する他端側の円筒体の端面の中心部に、前記ストッパー部の先端部を通すが、前記ストッパー部の大径部を通さない内径の透孔を設け、
前記他端側の円筒体の内周に、前記ストッパー部の大径部の外径より小さい内径の前記弾性リングを装着し、
前記心棒と前記ストッパー部とを個別に構成し、互いに螺合するねじ部をそれぞれ設けて前記ねじ部により分離可能に連結していることを特徴とする耳かき具。
【請求項３】
請求項１，２に記載の耳かき具において、
前記耳かき部の円形板の内側端面に、なだらかに湾曲する凹面を設けたことを特徴とする耳かき具。
【請求項４】
請求項１乃至３のいずれかに記載の耳かき具において、
前記ストッパー部の先端部の端面が半球面とされていることを特徴とする耳かき具。
【請求項５】
請求項１乃至４のいずれかに記載の耳かき具において、
前記弾性リングは、ゴム製の０リングであることを特徴とする耳かき具。
【考案の詳細な説明】
【技術分野】
【０００１】
本考案は、耳孔の清掃を行う耳かき具に関する。
【背景技術】
【０００２】
従来の耳かき具として、フランジ状の耳かき部を心棒の先端に設けて、耳かきの全方向どの方向を使ってもかき出せるようにしたものがある（例えば、特許文献１、特許文献２参照）。
このような耳かき具は、耳の中で回転させてかき出したい方向にかき出し部を向ける必要がなく、また先端部分で耳奥を突いて鼓膜を傷つけてしまうおそれがないという利点がある。
【先行技術文献】
【特許文献】
【０００３】
【特許文献１】特開２０００−３５４５５６号公報
【特許文献２】特開２００４−１０５５５９号公報
【考案の概要】
【考案が解決しようとする課題】
【０００４】
しかしながら、上記従来の耳かき具は、耳かき部およびそれを支える心棒が使用しないときでも露出されており、長く突出した構造である。このため、実用的であっても外観が装飾的ではなく必要なとき以外には不用である。
本考案は、上記課題を解消するためになされたもので、耳かき部の全方向どの方向を使っても耳かきができ、かつ外観が装飾的でありアクセサリーとしても常時携帯することができる耳かき具を提供することを目的とする。
【課題を解決するための手段】
【０００５】
以下の構成はそれぞれ上記の課題を解決するための手段である。
〈構成１〉
複数の円筒体を分離可能に連結してなる本体と、前記本体に、その軸心に沿って往復動可能に収容された心棒と、前記心棒の一端に、円形板の中心部を連結して設けられた耳かき部と、前記心棒の他端に連結して設けられ、前記心棒の外径より大きい外径の大径部を有するストッパー部と、前記本体内に収容されて前記心棒の動きを抑制する弾性リングとを備え、不使用時は、前記耳かき部が前記本体内に位置すると共に、前記ストッパー部の先端部が前記本体端面より外方に突出した状態とされており、使用時は、外方に突出していた前記ストッパー部の先端部が前記本体内に圧入されることにより前記耳かき部が前記本体内から外方に突出するようにされたことを特徴とする耳かき具。
【０００６】
〈構成２〉
構成１に記載の耳かき具において、前記複数の各円筒体にはそれぞれ連結する端部に互いに螺合するねじ部を設け、前記本体を構成する一端側の円筒体の端面に、前記耳かき部を収容する座ぐりを設け、前記座ぐりの中心部に、前記心棒を摺動自在に通すが、前記耳かき部及び前記ストッパー部を通さない内径の透孔を設け、前記一端側の円筒体の内周に、前記ストッパー部の大径部の外径より小さい内径の前記弾性リングを装着し、前記本体を構成する他端側の円筒体の端面の中心部に、前記ストッパー部の先端部を通すが、前記ストッパー部の大径部を通さない内径の透孔を設け、前記他端側の円筒体の内周に、前記ストッパー部の大径部の外径より小さい内径の前記弾性リングを装着し、前記心棒と前記ストッパー部とを個別に構成し、互いに螺合するねじ部をそれぞれ設けて前記ねじ部により分離可能に連結していることを特徴とする耳かき具。
【０００７】
〈構成３〉
構成１，２に記載の耳かき具において、前記耳かき部の円形板の内側端面に、なだらかに湾曲する凹面を設けたことを特徴とする耳かき具。
【０００８】
〈構成４〉
構成１乃至３のいずれかに記載の耳かき具において、前記ストッパー部の先端部の端面が半球面とされていることを特徴とする耳かき具。
【０００９】
〈構成５〉
構成１乃至４のいずれかに記載の耳かき具において、前記弾性リングは、ゴム製の０リングであることを特徴とする耳かき具。
【考案の効果】
【００１０】
〈構成１の効果〉
耳かき部が円形板であるため、耳かきの全方向どの方向を使ってもかき出せる。
不使用時は、耳かき部を本体内に位置させているので、短尺ですっきりした単純形態の状態で保管できる。弾性リングにより心棒の動きを抑制することにより、不使用時に耳かき部が勝手に本体の外方に延び出したり、使用時に耳かき部が本体の内部に不要に入り込むことなどを防止して快適に使用できる。
〈構成２の効果〉
本体と心棒とストッパー部とを解体することにより、構成部品の交換や掃除等ができる。
〈構成３の効果〉
耳かき部の円形板の内側端面になだらかに湾曲する凹面を有することにより、掻き取られた耳垢が順次なだらかに湾曲する凹面にそってスムーズに移動するので、きれいにかつ効率よく耳かきができる。なお、凹面が浅過ぎても、あるいは深過ぎても掻き取られた耳垢がスムーズに移動しなくなり、耳垢を効率よく掻き取ることができない。
〈構成４の効果〉
本体の外観が角ばらないので、本体の手触りが良好である。
〈構成５の効果〉
ゴム製の０リングは各種寸法のものが市販されているので、所望のものが容易に入手できる。
【図面の簡単な説明】
【００１１】
【図１】実施例１の耳かき具を示す図で、（ａ）は不使用時の状態を示す正面図、（ｂ）は使用時の状態を示す正面図である。
【図２】同耳かき具の構成部品を示す正面図である。
【図３】同耳かき具の本体を解体して示す図で、（ａ）は同本体の一端側の円筒体を示す断面図、（ｂ）は同本体の中間部の円筒体を示す断面図、（ｃ）は  同本体の他端側の円筒体を示す断面図である。
【図４】同耳かき具の耳かき部、心棒、ストッパー部を示す図で、（ａ）はこれらを合体した状態を示す縦断面図、（ｂ）は心棒とストッパー部を分離した状態を示す一部縦断面図である。
【図５】同耳かき具の使用説明図である。
【考案を実施するための形態】
【００１２】
以下、本考案の実施の形態を実施例毎に詳細に説明する。
【実施例１】
【００１３】
図１は実施例１の耳かき具１０を示す図で、（ａ）は不使用時の状態を示し、（ｂ）は使用時の状態を示している。図２は同耳かき具の各構成部品を示している。図３は同耳かき具の本体を解体して示す図で、（ａ）は同本体の一端側の円筒体を示し、（ｂ）は同本体の中間部の円筒体を示し、（ｃ）は  同本体の他端側の円筒体を示している。図４は同耳かき具の耳かき部、心棒、ストッパー部を示す図で、（ａ）はこれらを合体した状態を示し、（ｂ）は心棒とストッパー部を分離した状態を示している。
【００１４】
耳かき具１０は、３個の円筒体、すなわち、一端側の円筒体１４ａ、中間部の円筒体１４ｂ、他端側の円筒体１４ｃをそれぞれ分離可能にねじで連結して構成された本体１２と、この本体１２内に収容された心棒１６と、心棒１６の一端に設けられた耳かき部１８と、心棒１６の他端に設けられたストッパー部２２と、本体１２内に収容されてストッパー部２２の動きを抑制する２個の弾性リング２６、３４とを備えている。
【００１５】
３個の円筒体１４ａ、１４ｂ、１４ｃにはそれぞれ連結する端部に互いに螺合するねじ部１５ａ、１５ｂ、１５ｃが設けられている。心棒１６は本体１２の軸心に沿って往復動可能に収容されている。耳かき部１８は、円形板２０の中心部を心棒１６の一端に連結することにより構成されている。ストッパー部２２は、心棒１６の他端に連結して設けられ、心棒１６の外径より大きい外径の大径部２４を有している。ストッパー部２２の先端部２５は大径部２４の外径より小さい外径を有しており、その端面２５ａが半球面とされている。
【００１６】
本体１２の一端側の円筒体１４ａは、図３（ａ）に示すように、耳かき部１８を収容する座ぐり３０が設けられ、座ぐり３０の中心部に透孔３２が設けられている。透孔３２は、心棒１６を摺動自在に通すが、耳かき部１８及びストッパー部２２を通さない内径を有している。さらに、一端側の円筒体１４ａの内周に、ゴム製０リングのような弾性リング２６が装着されている。この弾性リング２６は、ストッパー部２２の大径部２４の外径より若干小さい内径を有している。
【００１７】
本体１２の中間部の円筒体１４ｂは、図３（ｂ）に示すように、心棒１６を挿通させる内孔とねじ部１５ｂを設けた外周面とを備えている。
【００１８】
本体１２の他端側の円筒体１４ｃは、図３（ｃ）に示すように、端面の中心部に透孔３６が設けられている。透孔３６は、ストッパー部２２の先端部２５を通すが、ストッパー部２２の大径部２４を通さない内径を有している。さらに、他端側の円筒体１４の内周に、ゴム製０リングのような弾性リング３４が装着されている。この弾性リング３４は、ストッパー部２２の大径部２４の外径より若干小さい内径を有している。弾性リング２６、３４として、ゴム製の０リングを使用すると、各種寸法のものが市販されているので、所望のものが容易に入手できる。
【００１９】
図４は耳かき部１８、心棒１６、ストッパー部２２を示している。心棒１６と耳かき部１８は一体に構成されている。心棒１６とストッパー部２２は個別に構成されて分離可能にねじで連結されている。心棒１６とストッパー部２２にはそれぞれ連結する端部に互いに螺合するねじ部３８、４０が設けられている。
【００２０】
耳かき部１８の円形板２０の内側端面に、なだらかに湾曲する凹面４２が設けられている。耳かき部１８の円形板２０の内側端面になだらかに湾曲する凹面４２を設けたことにより、掻き取られた耳垢が順次凹面４２にそってスムーズに移動するので、きれいにかつ効率よく耳かきができる。凹面４２が浅過ぎると耳垢を効率よく掻き取ることができない。凹面４２が深過ぎると、掻き取られた耳垢の清掃がし難い。従って、適度な凹面を形成することが好ましい。
【００２１】
次に、上記耳かき具１０の使用例を説明する。図５はその説明図である。
図５（ａ）は不使用時の状態を示している。この状態では耳かき部１８が本体１２の座ぐり３０内に位置すると共に、ストッパー部２２の先端部の端面２５ａが本体１２端面より若干外方に突出した状態となっている。さらにストッパー部２２の大径部２４が他端側の円筒体１４ｃに装着された弾性リング３４の弾力により動きが抑制されている。すなわち、弾性リング３４の弾力で心棒１６と耳かき部１８とが本体１２内で簡単には動かないようにされている。
【００２２】
図５（ａ）に示す状態で、ストッパー部２２の先端部の端面２５ａを本体１２内に向かって押圧すると、図５（ｂ）に示すように、ストッパー部２２が弾性リング２６の弾力に抗して図中左方向に移動する。このため、ストッパー部２２の端面２５ａが本体１２内に圧入され耳かき部１８が本体１２内から外方に少しだけ突出する。
【００２３】
突出した耳かき部１８を掴んで外方に引き出し、最終的にストッパー部２２の大径部２４を、一端側の円筒体１４ａに装着された弾性リング２６の弾力に抗して弾性リング２６内に挿入することにより、図５（ｃ）に示すようによう耳かき部１８が所定の位置に突出し弾性リング２６の弾力で支えられた使用可能な状態となる。
【００２４】
以上、本考案の耳かき具により、耳かき部１８が円形板２０であるため、耳かきの全方向どの方向を使ってもかき出せる。不使用時は、耳かき部１８を本体１２内に位置させているので、短尺ですっきりした単純形態の状態で保管できる。弾性リングの弾力により心棒１６の動きを抑制することにより、不使用時に耳かき部１８が勝手に本体１２の外方に延び出したり、使用時に耳かき部１８が本体１２の内部に不要に入り込むことなどを防止して快適に使用できる。また、本体１２と心棒１６とストッパー部２２とを解体することにより、構成部品の交換や掃除等ができる。
【００２５】
本考案の耳かき具は、例えば、本体１２の外径１３ｍｍ、長さ３０．５ｍｍ、耳かき部１８の外端面から心棒１６を介したストッパー部２２の先端部の外端面までの長さ３１．５ｍｍ、本体１２端面から耳かき部１８の最大突出長さ２２ｍｍのコンパクトな構成である。耳かき部１８と心棒１６の長さを適切に選択することにより、本来の耳かき機能を損なうことなく安全に使用できる。
【００２６】
なお、上記実施例では本体１２を３個の円筒体を連結して構成した例を述べたが、本考案は本体を、円筒体を２個あるいは４個以上を分離可能に連結して構成したものを含むものである。
【符号の説明】
【００２７】
１０  耳かき具
１２  本体
１４ａ  一端側の円筒体
１４ｂ  中間部の円筒体
１４ｃ  他端側の円筒体
１６  心棒
１８  耳かき部
２０  円形板
２２  ストッパー部
２４  大径部
２５  先端部
２６  弾性リング
２８  円筒体ねじ部
３０  座ぐり
３２  透孔
３４  弾性リング
３６  透孔
３８  心棒ねじ部
４０  ストッパー部ねじ部
４２  凹面
【図１】
0003177724.tif 000003
【図２】
0003177724.tif 000004
【図３】
0003177724.tif 000005
【図４】
0003177724.tif 000006
【図５】
0003177724.tif 000007
【手続補正書】
【提出日】平成24年6月13日(2012.6.13)
【手続補正１】
【補正対象書類名】実用新案登録請求の範囲
【補正対象項目名】全文
【補正方法】変更
【補正の内容】
【実用新案登録請求の範囲】
【請求項１】
複数の円筒体を分離可能に連結してなる本体と、
前記本体に、その軸心に沿って往復動可能に収容された心棒と、
前記心棒の一端に、円形板の中心部を連結して設けられた耳かき部と、
前記心棒の他端に連結して設けられ、前記心棒の外径より大きい外径の大径部を有するストッパー部と、
前記本体内に収容されて前記心棒の動きを抑制する弾性リングとを備え、
不使用時は、前記耳かき部が前記本体内に位置すると共に、前記ストッパー部の先端部が前記本体端面より外方に突出した状態とされており、
使用時は、外方に突出していた前記ストッパー部の先端部が前記本体内に圧入されることにより前記耳かき部が前記本体内から外方に突出するようにされたことを特徴とする耳かき具。
【請求項２】
請求項１に記載の耳かき具において、
前記複数の各円筒体にはそれぞれ連結する端部に互いに螺合するねじ部を設け、
前記本体を構成する一端側の円筒体の端面に、前記耳かき部を収容する座ぐりを設け、前記座ぐりの中心部に、前記心棒を摺動自在に通すが、前記耳かき部及び前記ストッパー部を通さない内径の透孔を設け、
前記一端側の円筒体の内周に、前記ストッパー部の大径部の外径より小さい内径の前記弾性リングを装着し、
前記本体を構成する他端側の円筒体の端面の中心部に、前記ストッパー部の先端部を通すが、前記ストッパー部の大径部を通さない内径の透孔を設け、
前記他端側の円筒体の内周に、前記ストッパー部の大径部の外径より小さい内径の前記弾性リングを装着し、
前記心棒と前記ストッパー部とを個別に構成し、互いに螺合するねじ部をそれぞれ設けて前記ねじ部により分離可能に連結していることを特徴とする耳かき具。
【請求項３】
請求項１または２に記載の耳かき具において、
前記耳かき部の円形板の内側端面に、なだらかに湾曲する凹面を設けたことを特徴とする耳かき具。
【請求項４】
請求項１乃至３のいずれかに記載の耳かき具において、
前記ストッパー部の先端部の端面が半球面とされていることを特徴とする耳かき具。
【請求項５】
請求項１乃至４のいずれかに記載の耳かき具において、
前記弾性リングは、ゴム製の０リングであることを特徴とする耳かき具。
【手続補正２】
【補正対象書類名】明細書
【補正対象項目名】０００７
【補正方法】変更
【補正の内容】
【０００７】
〈構成３〉
構成１または２に記載の耳かき具において、前記耳かき部の円形板の内側端面に、なだらかに湾曲する凹面を設けたことを特徴とする耳かき具。